(57)【要約】【課題】  同じ軌道に於いて、電子が放出する磁気は、陽子が放出する磁気の約２０００倍です。これはどうしてか。陽子の核磁気モーメントは約０．７で、中性子の核磁気モーメントは約−０．２です。これはどうしてか。【解決手段】  陽子の質量エネルギーは、電子の質量エネルギーの約２０００倍です。それで、２０００分の１の軌道を自転してできる磁気の光子は、電子の作る磁気の光子に等しい。磁気の光子は質量エネルギー×軌道×Ｘです。Ｘ＝８×１０−７です。これで、ラブの自転軌道が解るとできる磁気の光子のエネルギーが解ります。中性子の電子のラブの自転軌道から、できる磁気の光子のエネルギーが解る。中性子の核磁気モーメントはこの磁気の光子のエネルギーに比例する。【選択図】図３
2006067779.tif 000002
【特許請求の範囲】
【請求項１】
本発明者は、２００５年５月２７日提出した特許願の５番で、陽子のラブの自転によってできる１個の磁気の光子の運動量と、電子のラブの自転によってできる１個の磁気の光子の運動量は等しいと考えた。
しかし、これは誤りです。
６番で、陽子のラブが１回公転してできる１個の電気の光子の運動量と、電子のラブが１回公転してできる１個の電気の光子の運動量は等しいと考えた。
しかし、これは誤りです。
ボーア磁子は９．２７４×１０−２４Ｊ／Ｔです。
核磁子は５．０５０８×１０−２７Ｊ／Ｔです。
それで、１ｍの軌道に於いて、電子のラブの自転によってできる磁気の光子は、陽子のラブの自転によってできる磁気の光子の、９．２７４×１０−２４Ｊ／Ｔ÷（５．０５０８×１０−２７Ｊ／Ｔ）＝１．８３６１４×１０３倍です。
それで、次のように考えます。
【請求項２】
電子のラブが１自転してできる磁気の光子１個のエネルギーと、陽子のラブが１自転してできる磁気の光子１個のエネルギーは等しい。電子のラブが１公転してできる電気の光子１個のエネルギーと、陽子のラブが１公転してできる電気の光子１個のエネルギーは等しい。
即ち、電子のラブが１自転してできる磁気の光子１個のエネルギーは８×１０−３８Ｊであり、陽子のラブが１自転してできる磁気の光子１個のエネルギーは８×１０−３８Ｊである。
即ち、電子のラブが１．２５×１０−１８ｍの軌道を１回自転してできる磁気の光子１個のエネルギーは８×１０−３８Ｊであり、陽子のラブが６．７×１０−２２ｍの軌道を１回自転してできる磁気の光子１個のエネルギーは８×１０−３８Ｊである。
即ち、電子のラブが１公転してできる電気の光子１個のエネルギーは８×１０−３０Ｊであり、陽子のラブが１公転してできる電気の光子１個のエネルギーは８×１０−３０Ｊである。
即ち、電子のラブが１．２５×１０−１０ｍの軌道を１回公転してできる電気の光子１個のエネルギーは８×１０−３０Ｊであり、陽子のラブが６．７×１０−１４ｍの軌道を１回公転してできる電気の光子１個のエネルギーは８×１０−３０Ｊである。
【請求項３】
「請求項２」はどのような事を意味するのか。
１．陽子のラブは小さく自転し、電子のラブと同じエネルギーの光子を作るということです。
２．陽子のラブは質量エネルギーが大きいから少しの回転で、大きなエネルギーができるということです。
６．７×１０−２２ｍ÷（１．２５×１０−１８ｍ）＝５．３６×１０−４倍  １÷（５．３６×１０−４）＝１．８６５×１０３
陽子のラブは１．８６５×１０３分の１の回転で、電子のラブと同じエネルギーの磁気の光子を作っている。
これは、陽子のラブの質量エネルギーが、電子のラブの質量エネルギーの、１．５×１０−１０Ｊ÷（８×１０−１４Ｊ）＝１．８７５×１０３倍であるからです。
【請求項４】
電子のラブが１回自転してできる磁気の光子１個の運動量（＝磁気の光子１個のエネルギー×軌道）はいくらか。陽子のラブが１回自転してできる磁気の光子１個の運動量（磁気の光子１個のエネルギー×軌道）はいくらか。
電子のラブが１．２５×１０−１８ｍの軌道を１回自転してできる磁気の光子１個の運動量＝磁気の光子１個のエネルギー×軌道＝８×１０−３８Ｊ×１．２５×１０−１８ｍ＝１０−５５Ｊ・ｍである。
陽子のラブが６．７×１０−２２ｍの軌道を１回自転してできる磁気の光子１個の運動量＝磁気の光子１個のエネルギー×軌道＝８×１０−３８Ｊ×６．７×１０−２２ｍ＝５．３６×１０−５９Ｊ・ｍである。
即ち、電子のラブが１．２５×１０−１８ｍの軌道を１回自転してできる磁気の光子１個の運動量は、陽子のラブが６．７×１０−２２ｍの軌道を１回自転してできる磁気の光子１個の運動量の、１０−５５Ｊ・ｍ÷（５．３６×１０−５９Ｊ・ｍ）＝１．８６６×１０３倍です。
この値は、ボーア磁子と核磁子の比に等しい。
又、電子のラブが自転してできる磁気の光子１個の軌道エネルギーの式は、
１０−５５Ｊ・ｍ÷軌道又はエネルギー  です。
陽子のラブが自転してできる磁気の光子１個の軌道エネルギーの式は、
５．３６×１０−５９Ｊ・ｍ÷軌道又はエネルギー  です。
【請求項５】
電子のラブが１秒間自転してできる磁気の光子のエネルギーはいくらか。
陽子のラブが１秒間自転してできる磁気の光子のエネルギーはいくらか。
電子のラブは１秒間に１０２４回自転するから、１秒間自転してできる磁気の光子のエネルギーは、
８×１０−３８Ｊ×１０２４個＝８×１０−１４Ｊです。
陽子のラブは１秒間に１０２４回自転するから、１秒間自転してできる磁気の光子のエネルギーは、
８×１０−３８Ｊ×１０２４個＝８×１０−１４Ｊです。
【請求項６】
電子のラブが１秒間自転して作る磁気の光子の運動量（＝１自転してできる磁気の光子１個のエネルギー×自転軌道×１秒間にできる磁気の光子の数）はいくらか。陽子のラブが１秒間自転して作る磁気の光子の運動量（＝１自転してできる磁気の光子１個のエネルギー×自転軌道×１秒間にできる磁気の光子の数）はいくらか。
電子のラブが１秒間自転して作る磁気の光子の運動量（＝１自転してできる磁気の光子１個のエネルギー×自転軌道×１秒間にできる磁気の光子の数）は、
８×１０−３８Ｊ×１．２５×１０−１８ｍ×１０２４個＝１０−３１Ｊ・ｍです。
陽子のラブが１秒間自転して作る運動量（＝１自転してできる磁気の光子１個のエネルギー×軌道×１秒間にできる磁気の光子の数）は、
８×１０−３８Ｊ×６．７×１０−２２ｍ×１０２４個＝５．３６×１０−３５Ｊ・ｍです。
即ち、電子のラブが自転してできる磁気の光子の１秒間の軌道エネルギーの式は、
１０−３１Ｊ・ｍ÷軌道又はエネルギー  です。
陽子のラブが自転してできる磁気の光子の１秒間の軌道エネルギーの式は、
５．３６×１０−３５Ｊ・ｍ÷軌道又はエネルギー  です。
【請求項７】
電子のラブが１秒間自転してできる軌道１ｍの、磁気の光子の束である１０８倍のエネルギーはいくらか。陽子のラブが１秒間自転してできる軌道１ｍの、磁気の光子の束である１０８倍のエネルギーはいくらか。
電子のラブが１秒間自転してできる軌道１ｍの、磁気の光子の束である１０８倍のエネルギーは、
１０−３１Ｊ・ｍ×１０８個＝１０−２３Ｊ・ｍ    １０−２３Ｊ・ｍ÷１ｍ＝１０−２３Ｊです。
陽子のラブが１秒間自転してできる軌道１ｍの、磁気の光子の束である１０８倍のエネルギーは、
５．３６×１０−３５Ｊ・ｍ×１０８個＝５．３６×１０−２７Ｊ・ｍ    ５．３６×１０−２７Ｊ・ｍ÷１ｍ＝５．３６×１０−２７Ｊです。
【請求項８】
電磁子と核磁子はいくらか。
本発明者の考える磁子は１０−２３Ｊ／Ｔです。
本発明者の考える核磁子は５．３６×１０−２７Ｊ／Ｔです。
【請求項９】
陽子のラブが１公転してできる電気の光子１個のエネルギーと、電気の光子１個の運動量と、１秒間にできる電気の光子のエネルギーと、１秒間にできる電気の光子の運動量と軌道１ｍにおける電気の光子１個のエネルギーと、１秒間にできる軌道１ｍにおける電気の光子のエネルギーはいくらか。
陽子のラブが１公転してできる電気の光子１個のエネルギーは、電子のラブが１公転してできる電気の光子１個のエネルギーに等しい。
それで、陽子のラブが１公転してできる電気の光子１個のエネルギーは８×１０−３０Ｊです。
電気の光子１個の運動量は、
電気の光子１個のエネルギー×公転軌道＝８×１０−３０Ｊ×６．７×１０−１４ｍ＝５．３６×１０−４３Ｊ・ｍです。
陽子のラブが作る電気の光子１個の軌道エネルギーの式は、
５．３６×１０−４３Ｊ・ｍ÷軌道又はエネルギー  です。
１秒間にできる電気の光子のエネルギーは、電気の光子１個のエネルギー×１秒間にできる電気の光子の数＝８×１０−３０Ｊ×１０１６個＝８×１０−１４Ｊです。
１秒間にできる電気の光子の運動量は、
電気の光子１個のエネルギー×公転軌道×１秒間にできる電気の光子の数＝８×１０−３０Ｊ×６．７×１０−１４ｍ×１０１６個＝５．３６×１０−２７Ｊ・ｍです。
陽子のラブが作る電気の光子の１秒間の軌道エネルギーの式は、
５．３６×１０−２７Ｊ・ｍ÷軌道又はエネルギー  です。
軌道１ｍにおける電気の光子１個のエネルギーは、
５．３６×１０−４３Ｊ・ｍ÷１ｍ＝５．３６×１０−４３Ｊです。
１秒間にできる軌道１ｍにおける電気の光子のエネルギーは、
５．３６×１０−２７Ｊ・ｍ÷１ｍ＝５．３６×１０−２７Ｊです。
以上のことを表にします。
本発明者は２００５年５月１８日に提出した特許願い、「万有引力と素粒子」において、原子の電子と導線の自由電子について記したので、今回は原子の電子と原子の陽子について記します。
2006067779.tif 000012
2006067779.tif 000013
【請求項１０】
ボーア磁子は９．２７４×１０−２４Ｊ／Ｔです。核磁子は５．０５０８×１０−２７Ｊ／Ｔです。
この事は何を意味するのか。
ボーア磁子は９．２７４×１０−２４Ｊ／Ｔです。ＴはＷｂ／ｍ２です。Ｗｂは磁束でＶ・ｓです。
Ｔは１ｍ２の磁束です。Ｗｂは１秒間にできる磁気の光子の束のエネルギーです。
Ｔは１秒間にできる、軌道１ｍにおける、磁気の光子の束のエネルギーです。
磁気の光子の束は１０８個の磁気の光子です。
即ち、Ｔは１秒間にできる、軌道１ｍにおける、磁気の光子の束である１０８倍のエネルギーです。
ボーア磁子は９．２７４×１０−２４Ｊ／Ｔです。
この事は、１つの電子のラブが１秒間に作る磁気の光子の束である１０８倍のエネルギーは、軌道１ｍにおいて、９．２７４×１０−２４Ｊである事を意味する。
核磁子は５．０５０８×１０−２７Ｊ／Ｔです。
この事は、１つの陽子のラブが１秒間に作る磁気の光子の束である１０８倍のエネルギーは、軌道１ｍにおいて、５．０５０８×１０−２７Ｊである事を意味する。
【請求項１１】
ボーア磁子９．２７４×１０−２４Ｊ／Ｔから、１つの電子のラブが１秒間に作る、軌道１ｍにおける、磁気の光子のエネルギーはいくらか。核磁子５．０５０８×１０−２７Ｊ／Ｔから、１つの陽子のラブが１秒間に作る、軌道１ｍにおける、磁気の光子のエネルギーはいくらか。
ボーア磁子９．２７４×１０−２４Ｊ／Ｔから、１つの電子のラブが１秒間に作る、軌道１ｍにおける、磁気の光子のエネルギーは、
９．２７４×１０−２４Ｊ÷１０８＝９．２７４×１０−３２Ｊです。
核磁子５．０５０８×１０−２７Ｊ／Ｔから、１つの陽子のラブが１秒間に作る、軌道１ｍにおける、磁気の光子のエネルギーは、
５．０５０８×１０−２７Ｊ÷１０８＝５．０５０８×１０−３５Ｊです。
【請求項１２】
ボーア磁子９．２７４×１０−２４Ｊ／Ｔから、１つの電子のラブが１自転して作る、軌道１ｍにおける、磁気の光子１個のエネルギーはいくらか。核磁子５．０５０８×１０−２７Ｊ／Ｔから、１つの陽子のラブが１自転して作る、軌道１ｍにおける、磁気の光子１個のエネルギーはいくらか。
電子のラブは１秒間に１０２４回自転しますから、１秒間に１０２４個の磁気の光子ができる。その軌道１ｍのエネルギーが９．２７４×１０−３２Ｊです。
電子のラブが１自転して作る、軌道１ｍにおける、磁気の光子１個のエネルギーは、
９．２７４×１０−３２Ｊ÷１０２４個＝９．２７４×１０−５６Ｊです。
陽子のラブは１秒間に１０２４回自転しますから、１秒間に１０２４個の磁気の光子ができる。その軌道１ｍのエネルギーが５．０５０８×１０−３５Ｊです。
陽子のラブが１自転して作る、軌道１ｍにおける、磁気の光子１個のエネルギーは、
５．０５０８×１０−３５Ｊ÷１０２４個＝５．０５０８×１０−５９Ｊです。
【請求項１３】
ボーア磁子９．２７４×１０−２４Ｊ／Ｔから、１つの電子のラブが１自転して作る、磁気の光子１個の運動量（磁気の光子１個のエネルギー×軌道）はいくらか。核磁子５．０５０８×１０−２７Ｊ／Ｔから、１つの陽子のラブが１自転して作る、磁気の光子１個の運動量（磁気の光子１個のエネルギー×軌道）はいくらか。
１つの電子のラブが１自転して作る、磁気の光子１個のエネルギーは９．２７４×１０−５６Ｊで、軌道は１ｍですから、磁気の光子１個の運動量（磁気の光子１個のエネルギー×軌道）は、
９．２７４×１０−５６Ｊ×１ｍ＝９．２７４×１０−５６Ｊ・ｍです。
１つの陽子のラブが１自転して作る、磁気の光子１個のエネルギーは５．０５０８×１０−５９Ｊで、軌道は１ｍですから、磁気の光子１個の運動量（磁気の光子１個のエネルギー×軌道）は、
５．０５０８×１０−５９Ｊ×１ｍ＝５．０５０８×１０−５９Ｊ・ｍです。
即ち、電子のラブが１自転してできる磁気の光子１個の軌道エネルギーの式は、
９．２７４×１０−５６Ｊ・ｍ÷軌道又はエネルギー  です。
陽子のラブが１自転してできる磁気の光子１個の軌道エネルギーの式は、
５．０５０８×１０−５９Ｊ・ｍ÷軌道又はエネルギー  です。
【請求項１４】
ボーア磁子９．２７４×１０−２４Ｊ／Ｔから、電子のラブが自転してできる磁気の光子の１秒間の運動量（＝磁気の光子の１秒間のエネルギー×軌道）はいくらか。核磁子５．０５０８×１０−２７Ｊ／Ｔから、陽子のラブが自転してできる磁気の光子の１秒間の運動量（＝磁気の光子の１秒間のエネルギー×軌道）はいくらか。
ボーア磁子９．２７４×１０−２４Ｊ／Ｔから、軌道１ｍにおける、磁気の光子の１秒間のエネルギーは、
９．２７４×１０−２４Ｊ÷１０８個＝９．２７４×１０−３２Ｊです。
それで、電子のラブが自転してできる磁気の光子の１秒間の運動量（＝磁気の光子の１秒間のエネルギー×軌道）は、
９．２７４×１０−３２Ｊ×１ｍ＝９．２７４×１０−３２Ｊ・ｍです。
又、次のようにも考えられます。
電子のラブが自転してできる磁気の光子の１秒間の運動量（＝磁気の光子１個のエネルギー×軌道×１秒間にできる磁気の光子）は、
９．２７４×１０−５６Ｊ×１ｍ×１０２４個＝９．２７４×１０−３２Ｊ・ｍです。
核磁子５．０５０８×１０−２７Ｊ／Ｔから、軌道１ｍにおける、磁気の光子の１秒間のエネルギーは、
５．０５０８×１０−２７Ｊ÷１０８個＝５．０５０８×１０−３５Ｊです。
それで、陽子のラブが自転してできる磁気の光子の１秒間の運動量（＝磁気の光子の１秒間のエネルギー×軌道）は、
５．０５０８×１０−３５Ｊ×１ｍ＝５．０５０８×１０−３５Ｊ・ｍです。
又、次のようにも考えられます。
陽子のラブが自転してできる磁気の光子の１秒間の運動量（＝磁気の光子１個のエネルギー×軌道×１秒間にできる磁気の光子）は、
５．０５０８×１０−５９Ｊ×１ｍ×１０２４個＝５．０５０８×１０−３５Ｊ・ｍです。
即ち、電子のラブが自転してできる磁気の光子の１秒間の軌道エネルギーの式は、
９．２７４×１０−３２Ｊ・ｍ÷軌道又はエネルギー  です。
陽子のラブが自転してできる磁気の光子の１秒間の軌道エネルギーの式は、
５．０５０８×１０−３５Ｊ・ｍ÷軌道又はエネルギー  です。
【請求項１５】
ボーアの半径は５．２９１８×１０−１１ｍです。電子のラブの自転軌道はいくらか。
ボーアの直径は、２×５．２９１８×１０−１１ｍ＝１．０５８３６×１０−１０ｍです。
電子のラブの公転軌道は、１．０５８３６×１０−１０ｍです。
電子のラブの自転軌道は、公転軌道の１０８分の１ですから、
１．０５８３６×１０−１０ｍ÷１０８＝１．０５８３６×１０−１８ｍです。
【請求項１６】
ボーアの半径５．２９１８×１０−１１ｍと、ボーア磁子９．２７４×１０−２４Ｊ／Ｔから、電子のラブが１自転することによってできる１個の磁気の光子のエネルギーはいくらか。
ボーア磁子９．２７４×１０−２４Ｊ／Ｔから導かれた、磁気の光子１個の軌道エネルギーの式は、９．２７４×１０−５６Ｊ・ｍ÷軌道又はエネルギー  ですから、１自転（１．０５８３６×１０−１８ｍ）でできる磁気の光子１個のエネルギーは、
９．２７４×１０−５６Ｊ・ｍ÷（１．０５８３６×１０−１８ｍ）＝８．７６２６×１０−３８Ｊです。
本発明者が考えた、電子のラブによってできた磁気の光子のエネルギーと運動量、陽子のラブによってできた磁気の光子のエネルギーと運動量、
ボーア磁子９．２７４×１０−２４Ｊ／Ｔ、核磁子５．０５０８×１０−２７Ｊ／Ｔから導き出された、電子のラブによってできた磁気の光子のエネルギーと運動量、陽子のラブによってできた磁気の光子のエネルギーと運動量を表にする。
2006067779.tif 000014
2006067779.tif 000015
【請求項１７】
ボーア磁子と万有引力の関係はどのようであるか。
ボーア磁子は１秒間にできる、軌道が１ｍの磁気の光子の束である１０８倍のエネルギーです。
それで、電子のラブが１秒間に作る、軌道が１ｍの磁気の光子のエネルギーは、
９．２７４×１０−２４Ｊ÷１０８個＝９．２７４×１０−３２Ｊです。これが１原子でできる万有引力と成っている磁気の光子のエネルギーです。
電子のラブは、１秒間に、１ｍの軌道において、磁気の光子を９．２７４×１０−３２Ｊ作っている。
この磁気の光子が万有引力になる。
１原子でできる万有引力は１．６３×１０−３１Ｊです。
陽子のラブが作る磁気の光子のエネルギーは、同じ軌道では、電子のラブが作る磁気の光子の１．８３６１４×１０３分の１です。回転方向は逆です。
それで、万有引力は電子のラブが作る磁気の光子によってできると考える。
ボーア磁子によると、１つの電子によって、１秒間にできる１ｍの軌道の磁気の光子のエネルギーは９．２７４×１０−３２Ｊであるから、この磁気の光子が万有引力になっている。
【請求項１８】
万有引力は電子のラブが作る磁気の光子によってできると考えると、電子のラブが作る磁気の光子と電気の光子はどのようであるか。
１ｍの軌道に於いて、磁気の光子が１．６３×１０−３１Ｊであるためには、電子のラブが１自転でできる磁気の光子のエネルギーが１．６３倍であれば良い。
それで、電子のラブが１自転してできる磁気の光子のエネルギーは、
１．６３×８×１０−３８Ｊ＝１．３０４×１０−３７Ｊです。
陽子のラブが１自転してできる磁気の光子のエネルギーも１．３０４×１０−３７Ｊです。
同様に、電子のラブが１公転してできる電気の光子のエネルギーは、
１．６３×８×１０−３０Ｊ＝１．３０４×１０−２９Ｊです。
陽子のラブが１公転してできる電気の光子のエネルギーも１．３０４×１０−２９Ｊです。
このことを基に表を作る。
自転軌道、公転軌道、秒速、１秒間にできる磁気の光子の数、１秒間にできる電気の光子の数は同じです。
2006067779.tif 000016
2006067779.tif 000017
【請求項１９】
ラブの質量エネルギーと自転軌道とできる磁気の光子のエネルギーの関係はどのようであるか。ラブの質量エネルギーと公転軌道とできる電気の光子のエネルギーの関係はどのようであるか。
ラブの質量エネルギー×自転の軌道×Ｘ＝できる磁気の光子のエネルギーとする。
電子のラブの場合は、
ラブの質量エネルギー×自転の軌道×Ｘ＝できる磁気の光子のエネルギー＝８×１０−１４Ｊ×１．２５×１０−１８ｍ×Ｘ＝８×１０−３８Ｊ      Ｘ＝８×１０−７です。
陽子のラブの場合は、
ラブの質量エネルギー×自転の軌道×Ｘ′＝できる磁気の光子のエネルギー＝１．５×１０−１０Ｊ×６．７×１０−２２ｍ×Ｘ′＝８×１０−３８Ｊ      Ｘ′＝８×１０−７です。
電子のラブも陽子のラブも、自分の質量エネルギー×自転軌道の８×１０−７倍のエネルギーを磁気の光子のエネルギーにし、放出しています。
ラブの質量エネルギー×公転の軌道×Ｙ＝できる電気の光子のエネルギーとする。
電子のラブの場合は、
ラブの質量エネルギー×公転の軌道×Ｙ＝できる電気の光子のエネルギー＝８×１０−１４Ｊ×１．２５×１０−１０ｍ×Ｙ＝８×１０−３０Ｊ      Ｘ＝８×１０−７です。
陽子のラブの場合は、
ラブの質量エネルギー×公転の軌道×Ｙ′＝できる電気の光子のエネルギー＝１．５×１０−１０Ｊ×６．７×１０−１４ｍ×Ｙ′＝８×１０−３０Ｊ      Ｙ′＝８×１０−７です。
電子のラブも陽子のラブも、自分の質量エネルギー×公転軌道の８×１０−７倍のエネルギーを電気の光子のエネルギーにし、放出しています。
【請求項２０】
１原子でできる万有引力は１．６３×１０−３１Ｊです。１つの電子のラブでできる磁気の光子が軌道１ｍにおいて、１．６３×１０−３１Ｊになるためには、電子のラブの質量エネルギー×自転軌道の何倍のエネルギーが磁気の光子のエネルギーと成ったらよいか。
１ｍの軌道エネルギーが１．６３×１０−３１Ｊですから、１秒間にできる磁気の光子の運動量は１．６３×１０−３１Ｊ・ｍです。
それで、１個の磁気の光子の運動量は、
１．６３×１０−３１Ｊ÷１０２４個＝１．６３×１０−５５Ｊ・ｍです。
自転軌道は、１．２５×１０−１８ｍですから、この軌道エネルギーは、
１．６３×１０−５５Ｊ・ｍ÷（１．２５×１０−１８ｍ）＝１．３０４×１０−３７Ｊです。
それで、
電子のラブの質量エネルギー×自転軌道×Ｘ倍のエネルギーが磁気の光子のエネルギーに成るとします。
電子のラブの質量エネルギー×自転軌道×Ｘ＝１．３０４×１０−３７Ｊ
８×１０−１４Ｊ×１．２５×１０−１８ｍ×Ｘ＝１．３０４×１０−３７Ｊ      Ｘ＝１．３０４×１０−６倍
１つの電子のラブでできる磁気の光子が軌道１ｍにおいて、１．６３×１０−３１Ｊになるためには、電子のラブの質量エネルギー×自転軌道の１．３０４×１０−６倍のエネルギーが磁気の光子のエネルギーと成ったらよい。
【請求項２１】
中性子１つでできる磁気の光子のエネルギーはいくらか。中性子の電子のラブが１自転してできる磁気の光子のエネルギーはいくらか。
本発明者は、２００５年５月２７日に提出した特許願い「中性子と素粒子」の２番で、中性子は、陽子のラブの軌道が、６．７×１０−２２ｍで、電子のラブの軌道は４．９１３×１０−１９ｍであると記しました。
中性子の核磁気モーメントはマイナスなので、これは電子のラブが作った磁気の光子の回転です。
電子のラブの軌道は４．９１３×１０−１９ｍで、質量エネルギーは８×１０−１４Ｊですから、中性子の電子のラブが作る磁気の光子のエネルギーは、
ラブの質量エネルギー×自転の軌道×８×１０−７＝８×１０−１４Ｊ×４．９１３×１０−１９ｍ×８×１０−７＝３．１４×１０−３８Ｊです。
中性子の電子のラブは、４．９１３×１０−１９ｍの軌道を１自転して、３．１４×１０−３８Ｊの磁気の光子１個を作ります。
【請求項２２】
中性子の電子のラブの秒速はいくらか。
中性子の電子のラブは陽子のラブの自転の周囲を自転しています。
中性子の電子のラブは、陽子のラブが１自転すると、１自転します。
中性子の電子のラブは、陽子のラブが１公転すると、１公転します。
中性子の陽子のラブは、１秒間に１０２４回自転し、１０１６回公転します。
中性子の電子のラブは、１秒間に１０２４回自転し、１０１６回公転します。
それで、中性子の陽子のラブと電子のラブは、まるで、車の軸と車輪のように一緒になって自転し、公転します。
陽子はのラブは軸のようで、軌道は６．７×１０−２２ｍで、電子のラブは車輪のようで、軌道は４．９１３×１０−１９ｍです。
それで、中性子の電子の自転の秒速は、
４．９１３×１０−１９ｍ×３．１４×１０２４＝１．５４２×１０６ｍです。
【請求項２３】
中性子の電子のラブが１秒間に作る磁気の光子のエネルギーはいくらか。
中性子の電子のラブは１秒間に１０２４回自転しますから、１秒間に作る磁気の光子のエネルギーは、
３．１４×１０−３８Ｊ×１０２４個＝３．１４×１０−１４Ｊです。
【請求項２４】
中性子の電子のラブが作る磁気の光子１個の運動量はいくらか。
磁気の光子の軌道が４．９１３×１０−１９ｍでは、磁気の光子１個のエネルギーは３．１４×１０−３８Ｊですから、
磁気の光子１個の運動量は、
磁気の光子１個のエネルギー×自転軌道＝３．１４×１０−３８Ｊ×４．９１３×１０−１９ｍ＝１．５４２７×１０−５６Ｊ・ｍです。
中性子の電子のラブが自転して作る磁気の光子１個の軌道エネルギーの式は、
１．５４×１０−５６Ｊ・ｍ÷軌道又はエネルギー  です。
【請求項２５】
中性子の電子のラブが１秒間自転して作る磁気の光子の運動量はいくらか。
磁気の光子１個の運動量は１．５４×１０−５６Ｊ・ｍで、１秒間に１０２４回自転しますから、１秒間自転して作る磁気の光子の運動量は、
１．５４×１０−５６Ｊ・ｍ×１０２４回＝１．５４×１０−３２Ｊ・ｍです。
中性子の電子のラブが自転して作る磁気の光子の１秒間の軌道エネルギーの式は、
１．５４×１０−３２Ｊ・ｍ÷軌道又はエネルギー  です。
【請求項２６】
中性子の電子のラブが１秒間に作る、１ｍの軌道に於ける磁気の光子のエネルギーはいくらか。
中性子の電子のラブが自転して作る磁気の光子の１秒間の軌道エネルギーの式は、
１．５４×１０−３２Ｊ・ｍ÷軌道又はエネルギー  ですから、１ｍの軌道の１秒間の磁気の光子のエネルギーは、
１．５４×１０−３２Ｊ・ｍ÷１ｍ＝１．５４×１０−３２Ｊです。
中性子の電子のラブが１秒間に作る、１ｍの軌道に於ける磁気の光子のエネルギーは１．５４×１０−３２Ｊです。
これは中性子１個が作る万有引力です。但し、核磁気モーメントのある場合です。
中性子１個が作る万有引力は１．５４×１０−３２Ｊです。
【請求項２７】
中性子の核磁子はいくらか。
軌道１ｍにおける、１秒間の磁気の光子のエネルギーは１．５４×１０−３２Ｊですから、磁気の光子の束である１０８倍のエネルギーは、
１．５４×１０−３２Ｊ×１０８＝１．５４×１０−２４Ｊです。
中性子の核磁子は１．５４×１０−２４Ｊ／Ｔです。
【請求項２８】
中性子の電子のラブが１公転してできる電気の光子１個のエネルギーと、電気の光子１個の運動量と、１秒間にできる電気の光子のエネルギーと、１秒間にできる電気の光子の運動量と軌道１ｍにおける電気の光子１個のエネルギーと、１秒間にできる軌道１ｍにおける電気の光子のエネルギーはいくらか。
中性子の電子のラブが１公転してできる電気の光子１個のエネルギーは、中性子の電子のラブが１自転してできる磁気の光子１個のエネルギーの１０８倍です。
中性子の電子のラブが１自転してできる磁気の光子１個のエネルギーは３．１４×１０−３８Ｊですから、
中性子の電子のラブが１公転してできる電気の光子１個のエネルギーは、
３．１４×１０−３８Ｊ×１０８＝３．１４×１０−３０Ｊです。
電気の光子１個の運動量は、
電気の光子１個のエネルギー×公転軌道＝３．１４×１０−３０Ｊ×４．９１３×１０−１１ｍ＝１．５４３×１０−４０Ｊ・ｍです。
中性子の電子のラブが作る電気の光子１個の軌道エネルギーの式は、
１．５４３×１０−４０Ｊ・ｍ÷軌道又はエネルギー  です。
１秒間にできる電気の光子のエネルギーは、電気の光子１個のエネルギー×１秒間にできる電気の光子の数＝３．１４×１０−３０Ｊ×１０１６個＝３．１４×１０−１４Ｊです。
１秒間にできる電気の光子の運動量は、
電気の光子１個のエネルギー×公転軌道×１秒間にできる電気の光子の数＝３．１４×１０−３０Ｊ×４．９１３×１０−１１ｍ×１０１６個＝１．５４３×１０−２４Ｊ・ｍです。
中性子の電子のラブが作る電気の光子の１秒間の軌道エネルギーの式は、
１．５４３×１０−２４Ｊ・ｍ÷軌道又はエネルギー  です。
軌道１ｍにおける電気の光子１個のエネルギーは、
１．５４３×１０−４０Ｊ・ｍ÷１ｍ＝１．５４３×１０−４０Ｊです。
１秒間にできる軌道１ｍにおける電気の光子のエネルギーは、
１．５４３×１０−２４Ｊ・ｍ÷１ｍ＝１．５４３×１０−２４Ｊです。
中性子について表にします。
2006067779.tif 000018
2006067779.tif 000019
中性子の陽子と原子の陽子は同じ軌道エネルギーです。
【請求項２９】
陽子の核磁気モーメントを０．７とすると、中性子の核磁気モーメントはいくらか。
陽子のラブが１自転してできる磁気の光子１個のエネルギーは、８×１０−３８Ｊです。
陽子の核磁気モーメントを＋０．７とします。
８×１０−３８Ｊで＋０．７です。
それでは、３．１４×１０−３８Ｊではどれ位でしょうか。
８×１０−３８Ｊ：３．１４×１０−３８Ｊ＝０．７：ｘ
ｘ＝３．１４×１０−３８Ｊ×０．７÷（８×１０−３８Ｊ）＝０．２７４７５
陽子の核磁気モーメントを＋０．７としますと、
中性子の電子のラブが作る核磁気モーメントは−０．２７４７５です。
１３Ｃの核磁気モーメントは０．７０２４１であり、１５Ｎの核磁気モーメントは−０．２８３１９です。
それで、陽子のラブが６．７×１０−２２ｍの軌道を自転してできる、磁気の光子の軌道は６．７×１０−２２ｍで、エネルギーは８×１０−３８Ｊです。この磁気の光子が０．７の核磁気モーメントとなる。
この磁気の光子は１ｍの軌道では、１秒間では５．３６×１０−３５Ｊです。
中性子の電子のラブが４．９１３×１０−１９ｍの軌道を自転してできる、磁気の光子の軌道は４．９１３×１０−１９ｍで、エネルギーは３．１４×１０−３８Ｊです。この磁気の光子が−０．２７４７５の核磁気モーメントとなる。
この磁気の光子は１ｍの軌道では、１秒間では１．５４×１０−３２Ｊです。
【請求項３０】
核磁気モーメントと、陽子のラブの自転が作る、磁気の光子の軌道とエネルギーの関係はどのようである  核磁気モーメントと、中性子の電子のラブの自転が作る、磁気の光子の軌道とエネルギーの関係はどのようであるか。
陽子のラブの自転が作る、磁気の光子の軌道は６．７×１０−２２ｍで、エネルギーは８×１０−３８Ｊで、核磁気モーメントは＋０．７とみなす。
中性子の電子のラブの自転が作る、磁気の光子の軌道は４．９１３×１０−１９ｍで、エネルギーは３．１４×１０−３８Ｊで、核磁気モーメントは−０．２７４７５とみなす。
陽子のラブが作る、磁気の光子の軌道エネルギーの式は、６．７×１０−２２ｍ×８×１０−３８Ｊ＝５．３６×１０−５９Ｊ・ｍ÷軌道又はエネルギーです。
中性子の電子のラブが作る、磁気の光子の軌道エネルギーの式は、４．９１３×１０−１９ｍ×３．１４×１０−３８Ｊ＝１．５４３×１０−５６Ｊ・ｍです。
陽子のラブが作る磁気の光子のエネルギーが８×１０−３８Ｊで、核磁気モーメントは＋０．７ですから、１モーメントは、
８×１０−３８Ｊ÷０．７＝１．１４２８×１０−３７Ｊです。
それで、−０．２７４７５モーメントである、中性子の磁気の光子のエネルギーは、
１．１４２８×１０−３７Ｊ×０．２７４７５＝３．１４×１０−３８Ｊです。
この軌道は、
１．５４３×１０−５６Ｊ・ｍ÷（３．１４×１０−３８Ｊ）＝４．９１４×１０−１９ｍです。
即ち、磁気の光子１モーメントは、１．１４２８×１０−３７Ｊです。
それで、Ａモーメントの場合、磁気の光子のエネルギーは、
磁気の光子のエネルギー＝Ａ×１．１４２８×１０−３７Ｊです。
Ａモーメントがプラスの場合、
陽子のラブによってできた磁気の光子のエネルギーですから、その磁気の光子の軌道＝陽子のラブの自転軌道は、
軌道＝５．３６×１０−５９Ｊ・ｍ÷エネルギー＝５．３６×１０−５９Ｊ・ｍ÷（Ａ×１．１４２８×１０−３７Ｊ）＝４．６９×１０−２２ｍ÷Ａです。
Ａモーメントがマイナスの場合、
中性子の電子のラブによってできた磁気の光子のエネルギーですから、その磁気の光子の軌道＝中性子の電子のラブの自転軌道は、
軌道＝１．５４３×１０−５６Ｊ・ｍ÷エネルギー＝１．５４３×１０−５６Ｊ・ｍ÷（Ａ×１．１４２８×１０−３７Ｊ）＝１．３５×１０−１９ｍ÷Ａです。
例えば、５７Ｆｅの核磁気モーメントは０．０９０６ですから、
磁気の光子のエネルギーは、
Ａ×１．１４２８×１０−３７Ｊ＝０．０９０６×１．１４２８×１０−３７Ｊ＝１．０３５×１０−３８Ｊです。
この磁気の光子の軌道は、
４．６９×１０−２２ｍ÷Ａ＝４．６９×１０−２２ｍ÷０．０９０６＝５．１７６×１０−２１ｍです。
即ち、５７Ｆｅの核磁気モーメントを作っている磁気の光子は、
陽子のラブが５．１７６×１０−２１ｍの軌道を１自転しできる、１．０３５×１０−３８Ｊの磁気の光子です。
例えば、７３Ｇｅの核スピンは９／２で、核磁気モーメントは−０．８７９４６７ですから、１／２核スピンでは、−０．８７９４６７÷９＝−０．０９７７１８５です。
磁気の光子のエネルギーは、
Ａ×１．１４２８×１０−３７Ｊ＝０．０９７７１８５×１．１４２８×１０−３７Ｊ＝１．１１７×１０−３８Ｊです。
この磁気の光子の軌道は、
１．３５×１０−１９ｍ÷Ａ＝１．３５×１０−１９ｍ÷０．０９７７＝１．３８×１０−１８ｍです。
即ち、７３Ｇｅの核磁気モーメントを作っている磁気の光子は、
中性子の電子のラブが１．３８×１０−１８ｍの軌道を自転しできる、１．１１７×１０−３８Ｊの磁気の光子です。
【発明の詳細な説明】
【技術分野】
【０００１】  本発明は中性子と素粒子に関する。
陽子の自転でできる磁気に関する。
陽子の公転でできる電気に関する。
中性子の電子の自転でできる磁気に関する。
中性子の電子の公転でできる電気に関する。
ボーア磁子より算出した電子の自転でできる磁気に関する。
核磁子より算出した陽子の自転でできる磁気に関する。
陽子でできる核磁気モーメントに関する。
中性子でできる核磁気モーメントに関する。
【背景技術】
【０００２】従来、陽子が作る磁気は、電子が作る磁気の約２０００分の１であると考えられている。
【発明の開示】
【発明が解決しようとする課題】
【０００３】１．本発明者は、２００５年５月２７日提出した特許願の５番と６番の考えは誤りです。
２．電子のラブが１自転してできる磁気の光子１個のエネルギーと、陽子のラブが１自転してできる磁気の光子１個のエネルギーは等しい。電子のラブが１公転してできる電気の光子１個のエネルギーと、陽子のラブが１公転してできる電気の光子１個のエネルギーは等しい。
３．２．はどのような事を意味するのか。
４．電子のラブが１回自転してできる磁気の光子１個の運動量（＝磁気の光子１個のエネルギー×軌道）はいくらか。陽子のラブが１回自転してできる磁気の光子１個の運動量（磁気の光子１個のエネルギー×軌道）はいくらか。
５．電子のラブが１秒間自転してできる磁気の光子のエネルギーはいくらか。陽子のラブが１秒間自転してできる磁気の光子のエネルギーはいくらか。
６．電子のラブが１秒間自転して作る磁気の光子の運動量（＝１自転してできる磁気の光子１個のエネルギー×自転軌道×１秒間にできる磁気の光子の数）はいくらか。陽子のラブが１秒間自転して作る磁気の光子の運動量（＝１自転してできる磁気の光子１個のエネルギー×自転軌道×１秒間にできる磁気の光子の数）はいくらか。
７．電子のラブが１秒間自転してできる軌道１ｍの、磁気の光子の束である１０８倍のエネルギーはいくらか。陽子のラブが１秒間自転してできる軌道１ｍの、磁気の光子の束である１０８倍のエネルギーはいくらか。
８．電磁子と核磁子はいくらか。
９．陽子のラブが１公転してできる電気の光子１個のエネルギーと、電気の光子１個の運動量と、１秒間にできる電気の光子のエネルギーと、１秒間にできる電気の光子の運動量と軌道１ｍにおける電気の光子１個のエネルギーと、１秒間にできる軌道１ｍにおける電気の光子のエネルギーはいくらか。
１０．ボーア磁子は９．２７４×１０−２４Ｊ／Ｔです。核磁子は５．０５０８×１０−２７Ｊ／Ｔです。この事は何を意味するのか。
１１．ボーア磁子９．２７４×１０−２４Ｊ／Ｔから、１つの電子のラブが１秒間に作る、軌道１ｍにおける、磁気の光子のエネルギーはいくらか。核磁子５．０５０８×１０−２７Ｊ／Ｔから、１つの陽子のラブが１秒間に作る、軌道１ｍにおける、磁気の光子のエネルギーはいくらか。
１２．ボーア磁子９．２７４×１０−２４Ｊ／Ｔから、１つの電子のラブが１自転して作る、軌道１ｍにおける、磁気の光子１個のエネルギーはいくらか。核磁子５．０５０８×１０−２７Ｊ／Ｔから、１つの陽子のラブが１自転して作る、軌道１ｍにおける、磁気の光子１個のエネルギーはいくらか。
１３．ボーア磁子９．２７４×１０−２４Ｊ／Ｔから、１つの電子のラブが１自転して作る、磁気の光子１個の運動量（磁気の光子１個のエネルギー×軌道）はいくらか。核磁子５．０５０８×１０−２７Ｊ／Ｔから、１つの陽子のラブが１自転して作る、磁気の光子１個の運動量（磁気の光子１個のエネルギー×軌道）はいくらか。
１４．ボーア磁子９．２７４×１０−２４Ｊ／Ｔから、電子のラブが自転してできる磁気の光子の１秒間の運動量（＝磁気の光子の１秒間のエネルギー×軌道）はいくらか。核磁子５．０５０８×１０２７Ｊ／Ｔから、陽子のラブが自転してできる磁気の光子の１秒間の運動量（＝磁気の光子の１秒間のエネルギー×軌道）はいくらか。
１５．ボーアの半径は５．２９１８×１０−１１ｍです。電子のラブの自転軌道はいくらか。
１６．ボーアの半径５．２９１８×１０−１１ｍと、ボーア磁子９．２７４×１０−２４Ｊ／Ｔから、電子のラブが１自転することによってできる１個の磁気の光子のエネルギーはいくらか。
１７．ボーア磁子と万有引力の関係はどのようであるか。
１８．万有引力は電子のラブが作る磁気の光子によってできると考えると、電子のラブが作る磁気の光子と電気の光子はどのようであるか。
１９．ラブの質量エネルギーと自転軌道とできる磁気の光子のエネルギーの関係はどのようであるか。ラブの質量エネルギーと公転軌道とできる電気の光子のエネルギーの関係はどのようであるか。
２０．１原子でできる万有引力は１．６３×１０−３１Ｊです。１つの電子のラブでできる磁気の光子が軌道１ｍにおいて、１．６３×１０−３１Ｊになるためには、電子のラブの質量エネルギー×自転軌道の何倍のエネルギーが磁気の光子のエネルギーと成ったらよいか。
２１．中性子１つでできる磁気の光子のエネルギーはいくらか。中性子の電子のラブが１自転してできる磁気の光子のエネルギーはいくらか。
２２．中性子の電子のラブの秒速はいくらか。
２３．中性子の電子のラブが１秒間に作る磁気の光子のエネルギーはいくらか。
２４．中性子の電子のラブが作る磁気の光子１個の運動量はいくらか。
２５．中性子の電子のラブが１秒間自転して作る磁気の光子の運動量はいくらか。
２６．中性子の電子のラブが１秒間に作る、１ｍの軌道に於ける磁気の光子のエネルギーはいくらか。
２７．中性子の核磁子はいくらか。
２８．中性子の電子のラブが１公転してできる電気の光子１個のエネルギーと、電気の光子１個の運動量と、１秒間にできる電気の光子のエネルギーと、１秒間にできる電気の光子の運動量と軌道１ｍにおける電気の光子１個のエネルギーと、１秒間にできる軌道１ｍにおける電気の光子のエネルギーはいくらか。
２９．陽子の核磁気モーメントを０．７とすると、中性子の核磁気モーメントはいくらか。
３０．核磁気モーメントと、陽子のラブの自転が作る、磁気の光子の軌道とエネルギーの関係はどのようである  核磁気モーメントと、中性子の電子のラブの自転が作る、磁気の光子の軌道とエネルギーの関係はどのようであるか。
【課題を解決するための手段】
【０００４】  従来、陽子が作る磁気は、電子が作る磁気の約２０００分の１であると考えられている。
それで、本発明者は、２００５年５月２７日提出した特許願の５番で、陽子のラブの自転によってできる１個の磁気の光子の運動量と、電子のラブの自転によってできる１個の磁気の光子の運動量は等しいと考えた。
これでは、同じ軌道に於いて、陽子が作る磁気は、電子が作る磁気と等しくなるので、これは誤りです。
６番で、陽子のラブが１回公転してできる１個の電気の光子の運動量と、電子のラブが１回公転してできる１個の電気の光子の運動量は等しいと考えた。
これもまた、同じ軌道に於いて、陽子が作る電気は、電子が作る電気と等しくなるので、これは誤りです。
１．今回は、陽子のラブは小さく自転するが、質量エネルギーが大きいので、陽子のラブが１自転してできる磁気の光子のエネルギーと、電子のラブが１自転してできる磁気の光子のエネルギーは等しいと考えます。
同様に、陽子のラブが１公転してできる電気の光子のエネルギーと、電子のラブが１公転してできる電気の光子のエネルギーは等しいと考えます。
陽子のラブが１自転してできる磁気の光子１個のエネルギーを８×１０−３８Ｊと考える。
電子のラブが１自転してできる磁気の光子１個のエネルギーを８×１０−３８Ｊと考える。
そうしますと、電子のラブが１秒間自転してできる磁気の光子の運動量は、磁気の光子１個のエネルギー×自転軌道×１秒間にできる磁気の光子の数＝８×１０−３８Ｊ×１．２５×１０−１８ｍ×１０２４個＝１０−３１Ｊ・ｍです。
２．ボーア磁子は、電子のラブが自転し、１秒間に作る、軌道１ｍにおける、磁気の光子の束である１０８倍のエネルギーです。
それで、ボーア磁子から、電子のラブが１秒間に作る、軌道１ｍにおける磁気の光子のエネルギーが解る。
核磁子は、陽子のラブが自転し、１秒間に作る、軌道１ｍにおける、磁気の光子の束である１０８倍のエネルギーです。
それで、核磁子から、陽子のラブが１秒間に作る、軌道１ｍにおける磁気の光子のエネルギーが解る。
ボーア磁子から算出される、電子のラブが作る磁気の光子のエネルギーと、本発明者が考えた、電子のラブが作る磁気の光子のエネルギーを比較する。
核磁子から算出される、陽子のラブが作る磁気の光子のエネルギーと、本発明者が考えた、陽子のラブが作る磁気の光子のエネルギーを比較する。
３．１原子でできる万有引力は、電子のラブの自転によってできる磁気の光子のエネルギーであると考える。
１ｍの軌道に於いて、磁気の光子が１．６３×１０−３１Ｊであるためには、電子のラブが１自転してできる磁気の光子のエネルギーが１．６３倍であればよい。
それで、電子のラブが１自転してできる磁気の光子のエネルギーを、
１．６３×８×１０−３８＝１．３０４×１０−３７Ｊであるとする。
陽子のラブが１自転してできる磁気の光子のエネルギーを、
１．６３×８×１０−３８＝１．３０４×１０−３７Ｊであるとする。
同様に、
電子のラブが１公転してできる電気の光子のエネルギーを、
１．６３×８×１０−３０Ｊ＝１．３０４×１０−２９Ｊであるとする。
陽子のラブが１公転してできる電気の光子のエネルギーを、
１．６３×８×１０−３０Ｊ＝１．３０４×１０−２９Ｊであるとする。
これを表にする。
４．ラブの自転でできる磁気の光子のエネルギーは、ラブの質量エネルギー×軌道の何倍であるか。
これを計算する事によって、中性子の電子のラブが１自転してできる磁気の光子のエネルギーが解る。
中性子の電子のラブが１自転してできる磁気の光子１個のエネルギーが解ると、１公転してできる電気の光子１個のエネルギーが解る。
【発明の実施態様】
【０００５】１．  本発明者は、２００５年５月２７日提出した特許願の５番で、陽子のラブの自転によってできる１個の磁気の光子の運動量と、電子のラブの自転によってできる１個の磁気の光子の運動量は等しいと考えた。
しかし、これは誤りです。
６番で、陽子のラブが１回公転してできる１個の電気の光子の運動量と、電子のラブが１回公転してできる１個の電気の光子の運動量は等しいと考えた。
しかし、これは誤りです。
ボーア磁子は９．２７４×１０−２４Ｊ／Ｔです。
核磁子は５．０５０８×１０−２７Ｊ／Ｔです。
それで、１ｍの軌道に於いて、電子のラブの自転によってできる磁気の光子は、陽子のラブの自転によってできる磁気の光子の、９．２７４×１０−２４Ｊ／Ｔ÷（５．０５０８×１０−２７Ｊ／Ｔ）＝１．８３６１４×１０３倍です。
それで、次のように考えます。
２．  電子のラブが１自転してできる磁気の光子１個のエネルギーと、陽子のラブが１自転してできる磁気の光子１個のエネルギーは等しい。電子のラブが１公転してできる電気の光子１個のエネルギーと、陽子のラブが１公転してできる電気の光子１個のエネルギーは等しい。図１
即ち、電子のラブが１自転してできる磁気の光子１個のエネルギーは８×１０−３８Ｊであり、陽子のラブが１自転してできる磁気の光子１個のエネルギーは８×１０−３８Ｊである。
即ち、電子のラブが１．２５×１０−１８ｍの軌道を１回自転してできる磁気の光子１個のエネルギーは８×１０−３８Ｊであり、陽子のラブが６．７×１０−２２ｍの軌道を１回自転してできる磁気の光子１個のエネルギーは８×１０−３８Ｊである。
即ち、電子のラブが１公転してできる電気の光子１個のエネルギーは８×１０−３０Ｊであり、陽子のラブが１公転してできる電気の光子１個のエネルギーは８×１０−３０Ｊである。
即ち、電子のラブが１．２５×１０−１０ｍの軌道を１回公転してできる電気の光子１個のエネルキーは８×１０−３０Ｊであり、陽子のラブが６．７×１０−１４ｍの軌道を１回公転してできる電気の光子１個のエネルギーは８×１０−３０Ｊである。
３．  「請求項２」はどのような事を意味するのか。
Ａ陽子のラブは小さく自転し、電子のラブと同じエネルギーの光子を作るということです。
Ｂ陽子のラブは質量エネルギーが大きいから少しの回転で、大きなエネルギーができるということです。
６．７×１０−２２ｍ÷（１．２５×１０−１８ｍ）＝５．３６×１０−４倍    １÷（５．３６×１０−４）＝１．８６５×１０３
陽子のラブは１．８６５×１０３分の１の回転で、電子のラブと同じエネルギーの磁気の光子を作っている。
これは、陽子のラブの質量エネルギーが、電子のラブの質量エネルギーの、１．５×１０−１０Ｊ÷（８×１０−１４Ｊ）＝１．８７５×１０３倍であるからです。
４．  電子のラブが１回自転してできる磁気の光子１個の運動量（＝磁気の光子１個のエネルギー×軌道）はいくらか。陽子のラブが１回自転してできる磁気の光子１個の運動量（磁気の光子１個のエネルギー×軌道）はいくらか。
電子のラブが１．２５×１０−１８ｍの軌道を１回自転してできる磁気の光子１個の運動量＝磁気の光子１個のエネルギー×軌道＝８×１０−３８Ｊ×１．２５×１０−１８ｍ＝１０−５５Ｊ・ｍである。
陽子のラブが６．７×１０−２２ｍの軌道を１回自転してできる磁気の光子１個の運動量＝磁気の光子１個のエネルギー×軌道＝８×１０−３８Ｊ×６．７×１０−２２ｍ＝５．３６×１０−５９Ｊ・ｍである。
即ち、電子のラブが１．２５×１０−１８ｍの軌道を１回自転してできる磁気の光子１個の運動量は、陽子のラブが６．７×１０−２２ｍの軌道を１回自転してできる磁気の光子１個の運動量の、
１０−５５Ｊ・ｍ÷（５．３６×１０−５９Ｊ・ｍ）＝１．８６６×１０３倍です。
この値は、ボーア磁子と核磁子の比に等しい。
又、電子のラブが自転してできる磁気の光子１個の軌道エネルギーの式は、
１０−５５Ｊ・ｍ÷軌道又はエネルギー  です。
陽子のラブが自転してできる磁気の光子１個の軌道エネルギーの式は、
５．３６×１０−５９Ｊ・ｍ÷軌道又はエネルギー  です。
５．  電子のラブが１秒間自転してできる磁気の光子のエネルギーはいくらか。陽子のラブが１秒間自転してできる磁気の光子のエネルギーはいくらか。
電子のラブは１秒間に１０２４回自転するから、１秒間自転してできる磁気の光子のエネルギーは、
８×１０−３８Ｊ×１０２４個＝８×１０−１４Ｊです。
陽子のラブは１秒間に１０２４回自転するから、１秒間自転してできる磁気の光子のエネルギーは、
８×１０−３８Ｊ×１０２４個＝８×１０−１４Ｊです。
６．  電子のラブが１秒間自転して作る磁気の光子の運動量（＝１自転してできる磁気の光子１個のエネルギー×自転軌道×１秒間にできる磁気の光子の数）はいくらか。陽子のラブが１秒間自転して作る磁気の光子の運動量（＝１自転してできる磁気の光子１個のエネルギー×自転軌道×１秒間にできる磁気の光子の数）はいくらか。
電子のラブが１秒間自転して作る磁気の光子の運動量（＝１自転してできる磁気の光子１個のエネルギー×自転軌道×１秒間にできる磁気の光子の数）は、
８×１０−３８Ｊ×１．２５×１０−１８ｍ×１０２４個＝１０−３１Ｊ・ｍです。
陽子のラブが１秒間自転して作る運動量（＝１自転してできる磁気の光子１個のエネルギー×軌道×１秒間にできる磁気の光子の数）は、
８×１０−３８Ｊ×６．７×１０−２２ｍ×１０２４個＝５．３６×１０−３５Ｊ・ｍです。
即ち、電子のラブが自転してできる磁気の光子の１秒間の軌道エネルギーの式は、
１０−３１Ｊ・ｍ÷軌道又はエネルギー  です。
陽子のラブが自転してできる磁気の光子の１秒間の軌道エネルギーの式は、
５．３６×１０−３５Ｊ・ｍ÷軌道又はエネルギー  です。
７．  電子のラブが１秒間自転してできる軌道１ｍの、磁気の光子の束である１０８倍のエネルギーはいくらか。陽子のラブが１秒間自転してできる軌道１ｍの、磁気の光子の束である１０８倍のエネルギーはいくらか。
電子のラブが１秒間自転してできる軌道１ｍの、磁気の光子の束である１０８倍のエネルギーは、
１０−３１Ｊ・ｍ×１０８個＝１０−２３Ｊ・ｍ      １０−２３Ｊ・ｍ÷１ｍ＝１０−２３Ｊです。
陽子のラブが１秒間自転してできる軌道１ｍの、１０８個の束である磁気の光子エネルギーは、
５．３６×１０−３５Ｊ・ｍ×１０８個＝５．３６×１０−２７Ｊ・ｍ    ５．３６×１０−２７Ｊ・ｍ÷１ｍ＝５．３６×１０−２７Ｊです。
８．  電磁子と核磁子はいくらか。
本発明者の考える磁子は１０−２３Ｊ／Ｔです。
本発明者の考える核磁子は５．３６×１０−２７Ｊ／Ｔです。
９．  陽子のラブが１公転してできる電気の光子１個のエネルギーと、電気の光子１個の運動量と、１秒間にできる電気の光子のエネルギーと、１秒間にできる電気の光子の運動量と軌道１ｍにおける電気の光子１個のエネルギーと、１秒間にできる軌道１ｍにおける電気の光子のエネルギーはいくらか。
陽子のラブが１公転してできる電気の光子１個のエネルギーは、電子のラブが１公転してできる電気の光子１個のエネルギーに等しい。
それで、陽子のラブが１公転してできる電気の光子１個のエネルギーは８×１０−３０Ｊです。
電気の光子１個の運動量は、
電気の光子１個のエネルギー×公転軌道＝８×１０−３０Ｊ×６．７×１０−１４ｍ＝５．３６×１０−４３Ｊ・ｍです。
陽子のラブが作る電気の光子１個の軌道エネルギーの式は、
５．３６×１０−４３Ｊ・ｍ÷軌道又はエネルギー  です。
１秒間にできる電気の光子のエネルギーは、電気の光子１個のエネルギー×１秒間にできる電気の光子の数＝８×１０−３０Ｊ×１０１６個＝８×１０−１４Ｊです。
１秒間にできる電気の光子の運動量は、
電気の光子１個のエネルギー×公転軌道×１秒間にできる電気の光子の数＝８×１０−３０Ｊ×６．７×１０−１４ｍ×１０１６個＝５．３６×１０−２７Ｊ・ｍです。
陽子のラブが作る電気の光子の１秒間の軌道エネルギーの式は、
５．３６×１０−２７Ｊ・ｍ÷軌道又はエネルギー  です。
軌道１ｍにおける電気の光子１個のエネルギーは、
５．３６×１０−４３Ｊ・ｍ÷１ｍ＝５．３６×１０−４３Ｊです。
１秒間にできる軌道１ｍにおける電気の光子のエネルギーは、
５．３６×１０−２７Ｊ・ｍ÷１ｍ＝５．３６×１０−２７Ｊです。
以上のことを表にします。
本発明者は２００５年５月１８日に提出した特許願い、「万有引力と素粒子」において、原子の電子と導線の自由電子について記したので、今回は原子の電子と原子の陽子について記します。
2006067779.tif 000003
2006067779.tif 000004
１０．  ボーア磁子は９．２７４×１０−２４Ｊ／Ｔです。核磁子は５．０５０８×１０−２７Ｊ／Ｔです。この事は何を意味するのか。図２
ボーア磁子は９．２７４×１０−２４Ｊ／Ｔです。ＴはＷｂ／ｍ２です。Ｗｂは磁束でＶ・ｓです。
Ｔは１ｍ２の磁束です。Ｗｂは１秒間にできる磁気の光子の束のエネルギーです。
Ｔは１秒間にできる、軌道１ｍにおける、磁気の光子の束のエネルギーです。
磁気の光子の束は１０８個の磁気の光子です。
即ち、Ｔは１秒間にできる、軌道１ｍにおける、磁気の光子の束である１０８倍のエネルギーです。
ボーア磁子は９．２７４×１０−２４Ｊ／Ｔです。
この事は、１つの電子のラブが１秒間に作る磁気の光子の束である１０８倍のエネルギーは、軌道１ｍにおいて、９．２７４×１０−２４Ｊである事を意味する。
核磁子は５．０５０８×１０−２７Ｊ／Ｔです。
この事は、１つの陽子のラブが１秒間に作る磁気の光子の束である１０８倍のエネルギーは、軌道１ｍにおいて、５．０５０８×１０−２７Ｊである事を意味する。
１１．  ボーア磁子９．２７４×１０−２４Ｊ／Ｔから、１つの電子のラブが１秒間に作る、軌道１ｍにおける、磁気の光子のエネルギーはいくらか。核磁子５．０５０８×１０−２７Ｊ／Ｔから、１つの陽子のラブが１秒間に作る、軌道１ｍにおける、磁気の光子のエネルギーはいくらか。
ボーア磁子９．２７４×１０−２４Ｊ／Ｔから、１つの電子のラブが１秒間に作る、軌道１ｍにおける、磁気の光子のエネルギーは、
９．２７４×１０−２４Ｊ÷１０８＝９．２７４×１０−３２Ｊです。
核磁子５．０５０８×１０−２７Ｊ／Ｔから、１つの陽子のラブが１秒間に作る、軌道１ｍにおける、磁気の光子のエネルギーは、
５．０５０８×１０−２７Ｊ÷１０８＝５．０５０８×１０−３５Ｊです。
１２．  ボーア磁子９．２７４×１０−２４Ｊ／Ｔから、１つの電子のラブが１自転して作る、軌道１ｍにおける、磁気の光子１個のエネルギーはいくらか。核磁子５．０５０８×１０−２７Ｊ／Ｔから、１つの陽子のラブが１自転して作る、軌道１ｍにおける、磁気の光子１個のエネルギーはいくらか。
電子のラブは１秒間に１０２４回自転しますから、１秒間に１０２４個の磁気の光子ができる。その軌道１ｍのエネルギーが９．２７４×１０−３２Ｊです。
電子のラブが１自転して作る、軌道１ｍにおける、磁気の光子１個のエネルギーは、
９．２７４×１０−３２Ｊ÷１０２４個＝９．２７４×１０−５６Ｊです。
陽子のラブは１秒間に１０２４回自転しますから、１秒間に１０２４個の磁気の光子ができる。その軌道１ｍのエネルギーが５．０５０８×１０−３５Ｊです。
陽子のラブが１自転して作る、軌道１ｍにおける、磁気の光子１個のエネルギーは、
５．０５０８×１０−３５Ｊ÷１０２４個＝５．０５０８×１０−５９Ｊです。
１３．  ボーア磁子９．２７４×１０−２４Ｊ／Ｔから、１つの電子のラブが１自転して作る、磁気の光子１個の運動量（磁気の光子１個のエネルギー×軌道）はいくらか。核磁子５．０５０８×１０−２７Ｊ／Ｔから、１つの陽子のラブが１自転して作る、磁気の光子１個の運動量（磁気の光子１個のエネルギー×軌道）はいくらか。
１つの電子のラブが１自転して作る、磁気の光子１個のエネルギーは９．２７４×１０−５６Ｊで、軌道は１ｍですから、磁気の光子１個の運動量（磁気の光子１個のエネルギー×軌道）は、
９．２７４×１０−５６Ｊ×１ｍ＝９．２７４×１０−５６Ｊ・ｍです。
１つの陽子のラブが１自転して作る、磁気の光子１個のエネルギーは５．０５０８×１０−５９Ｊで、軌道は１ｍですから、磁気の光子１個の運動量（磁気の光子１個のエネルギー×軌道）は、
５．０５０８×１０−５９Ｊ×１ｍ＝５．０５０８×１０−５９Ｊ・ｍです。
即ち、電子のラブが１自転してできる磁気の光子１個の軌道エネルギーの式は、
９．２７４×１０−５６Ｊ・ｍ÷軌道又はエネルギー  です。
陽子のラブが１自転してできる磁気の光子１個の軌道エネルギーの式は、
５．０５０８×１０−５９Ｊ・ｍ÷軌道又はエネルギー  です。
１４．  ボーア磁子９．２７４×１０−２４Ｊ／Ｔから、電子のラブが自転してできる磁気の光子の１秒間の運動量（＝磁気の光子の１秒間のエネルギー×軌道）はいくらか。核磁子５．０５０８×１０−２７Ｊ／Ｔから、陽子のラブが自転してできる磁気の光子の１秒間の運動量（＝磁気の光子の１秒間のエネルギー×軌道）はいくらか。
ボーア磁子９．２７４×１０−２４Ｊ／Ｔから、軌道１ｍにおける、磁気の光子の１秒間のエネルギーは、
９．２７４×１０−２４Ｊ÷１０８個＝９．２７４×１０−３２Ｊです。
それで、電子のラブが自転してできる磁気の光子の１秒間の運動量（＝磁気の光子の１秒間のエネルギー×軌道）は、
９．２７４×１０−３２Ｊ×１ｍ＝９．２７４×１０−３２Ｊ・ｍです。
又、次のようにも考えられます。
電子のラブが自転してできる磁気の光子の１秒間の運動量（＝磁気の光子１個のエネルギー×軌道×１秒間にできる磁気の光子）は、
９．２７４×１０−５６Ｊ×１ｍ×１０２４個＝９．２７４×１０−３２Ｊ・ｍです。
核磁子５．０５０８×１０−２７Ｊ／Ｔから、軌道１ｍにおける、磁気の光子の１秒間のエネルギーは、
５．０５０８×１０−２７Ｊ÷１０８個＝５．０５０８×１０−３５Ｊです。
それで、陽子のラブが自転してできる磁気の光子の１秒間の運動量（＝磁気の光子の１秒間のエネルギー×軌道）は、
５．０５０８×１０−３５Ｊ×１ｍ＝５．０５０８×１０−３５Ｊ・ｍです。
又、次のようにも考えられます。
陽子のラブが自転してできる磁気の光子の１秒間の運動量（＝磁気の光子１個のエネルギー×軌道×１秒間にできる磁気の光子）は、
５．０５０８×１０−５９Ｊ×１ｍ×１０２４個＝５．０５０８×１０−３５Ｊ・ｍです。
即ち、電子のラブが自転してできる磁気の光子の１秒間の軌道エネルギーの式は、
９．２７４×１０−３２Ｊ・ｍ÷軌道又はエネルギー  です。
陽子のラブが自転してできる磁気の光子の１秒間の軌道エネルギーの式は、
５．０５０８×１０−３５Ｊ・ｍ÷軌道又はエネルギー  です。
１５．  ボーアの半径は５．２９１８×１０−１１ｍです。電子のラブの自転軌道はいくらか。
ボーアの直径は、２×５．２９１８×１０−１１ｍ＝１．０５８３６×１０−１０ｍです。
電子のラブの公転軌道は、１．０５８３６×１０−１０ｍです。
電子のラブの自転軌道は、公転軌道の１０８分の１ですから、
１．０５８３６×１０−１０ｍ÷１０８＝１．０５８３６×１０−１８ｍです。
１６．  ボーアの半径５．２９１８×１０−１１ｍと、ボーア磁子９．２７４×１０−２４Ｊ／Ｔから、電子のラブが１自転することによってできる１個の磁気の光子のエネルギーはいくらか。
ボーア磁子９．２７４×１０−２４Ｊ／Ｔから導かれた、磁気の光子１個の軌道エネルギーの式は、９．２７４×１０−５６Ｊ・ｍ÷軌道又はエネルギー  ですから、１自転（１．０５８３６×１０−１８ｍ）でできる磁気の光子１個のエネルギーは、
９．２７４×１０−５６Ｊ・ｍ÷（１．０５８３６×１０−１８ｍ）＝８．７６２６×１０−３８Ｊです。
本発明者が考えた、電子のラブによってできた磁気の光子のエネルギーと運動量、陽子のラブによってできた磁気の光子のエネルギーと運動量、
ボーア磁子９．２７４×１０−２４Ｊ／Ｔ、核磁子５．０５０８×１０−２７Ｊ／Ｔから導き出された、電子のラブによってできた磁気の光子のエネルギーと運動量、陽子のラブによってできた磁気の光子のエネルギーと運動量を表にする。
2006067779.tif 000005
2006067779.tif 000006
2006067779.tif 000007
１７．  ボーア磁子と万有引力の関係はどのようであるか。
ボーア磁子は１秒間にできる、軌道が１ｍの磁気の光子の束である１０８倍のエネルギーです。
それで、電子のラブが１秒間に作る、軌道が１ｍの磁気の光子のエネルギーは、
９．２７４×１０−２４Ｊ÷１０８個＝９．２７４×１０−３２Ｊです。これが１原子でできる万有引力と成っている磁気の光子のエネルギーです。
電子のラブは、１秒間に、１ｍの軌道において、磁気の光子を９．２７４×１０−３２Ｊ作っている。
この磁気の光子が万有引力になる。
１原子でできる万有引力は１．６３×１０−３１Ｊです。
陽子のラブが作る磁気の光子のエネルギーは、同じ軌道では、電子のラブが作る磁気の光子の１．８３６１４×１０３分の１です。回転方向は逆です。
それで、万有引力は電子のラブが作る磁気の光子によってできると考える。
ボーア磁子によると、１つの電子によって、１秒間にできる１ｍの軌道の磁気の光子のエネルギーは９．２７４×１０−３２Ｊであるから、この磁気の光子が万有引力になっている。
１８．  万有引力は電子のラブが作る磁気の光子によってできると考えると、電子のラブが作る磁気の光子と電気の光子はどのようであるか。
１ｍの軌道に於いて、磁気の光子が１．６３×１０−３１Ｊであるためには、電子のラブが１自転でできる磁気の光子のエネルギーが１．６３倍であれば良い。
それで、電子のラブが１自転してできる磁気の光子のエネルギーは、
１．６３×８×１０−３８Ｊ＝１．３０４×１０−３７Ｊです。
陽子のラブが１自転してできる磁気の光子のエネルギーも１．３０４×１０−３７Ｊです。
同様に、電子のラブが１公転してできる電気の光子のエネルギーは、
１．６３×８×１０−３０Ｊ＝１．３０４×１０−２９Ｊです。
陽子のラブが１公転してできる電気の光子のエネルギーも１．３０４×１０−２９Ｊです。
このことを基に表を作る。
自転軌道、公転軌道、秒速、１秒間にできる磁気の光子の数、１秒間にできる電気の光子の数は同じです。
2006067779.tif 000008
2006067779.tif 000009
１９．  ラブの質量エネルギーと自転軌道とできる磁気の光子のエネルギーの関係はどのようであるか。ラブの質量エネルギーと公転軌道とできる電気の光子のエネルギーの関係はどのようであるか。図３
ラブの質量エネルギー×自転の軌道×Ｘ＝できる磁気の光子のエネルギーとする。
電子のラブの場合は、
ラブの質量エネルギー×自転の軌道×Ｘ＝できる磁気の光子のエネルギー＝８×１０−１４Ｊ×１．２５×１０−１８ｍ×Ｘ＝８×１０−３８Ｊ      Ｘ＝８×１０−７です。
陽子のラブの場合は、
ラブの質量エネルギー×自転の軌道×Ｘ′＝できる磁気の光子のエネルギー＝１．５×１０−１０Ｊ×６．７×１０−２２ｍ×Ｘ′＝８×１０−３８Ｊ      Ｘ′＝８×１０−７です。
電子のラブも陽子のラブも、自分の質量エネルギー×自転軌道の８×１０−７倍のエネルギーを磁気の光子のエネルギーにし、放出しています。
ラブの質量エネルギー×公転の軌道×Ｙ＝できる電気の光子のエネルギーとする。
電子のラブの場合は、
ラブの質量エネルギー×公転の軌道×Ｙ＝できる電気の光子のエネルギー＝８×１０−１４Ｊ×１．２５×１０−１０ｍ×Ｙ＝８×１０−３０Ｊ      Ｘ＝８×１０−７です。
陽子のラブの場合は、
ラブの質量エネルギー×公転の軌道×Ｙ′＝できる電気の光子のエネルギー＝１．５×１０−１０Ｊ×６．７×１０−１４ｍ×Ｙ′＝８×１０−３０Ｊ      Ｙ′＝８×１０−７です。
電子のラブも陽子のラブも、自分の質量エネルギー×公転軌道の８×１０−７倍のエネルギーを電気の光子のエネルギーにし、放出しています。
２０．  １原子でできる万有引力は１．６３×１０−３１Ｊです。１つの電子のラブでできる磁気の光子が軌道１ｍにおいて、１．６３×１０−３１Ｊになるためには、電子のラブの質量エネルギー×自転軌道の何倍のエネルギーが磁気の光子のエネルギーと成ったらよいか。
１ｍの軌道エネルギーが１．６３×１０−３１Ｊですから、１秒間にできる磁気の光子の運動量は１．６３×１０−３１Ｊ・ｍです。
それで、１個の磁気の光子の運動量は、
１．６３×１０−３１Ｊ÷１０２４個＝１．６３×１０−５５Ｊ・ｍです。
自転軌道は、１．２５×１０−１８ｍですから、この軌道エネルギーは、
１．６３×１０−５５Ｊ・ｍ÷（１．２５×１０−１８ｍ）＝１．３０４×１０−３７Ｊです。
それで、
電子のラブの質量エネルギー×自転軌道×Ｘ倍のエネルギーが磁気の光子のエネルギーに成るとします。
電子のラブの質量エネルギー×自転軌道×Ｘ＝１．３０４×１０−３７Ｊ
８×１０−１４Ｊ×１．２５×１０−１８ｍ×Ｘ＝１．３０４×１０−３７Ｊ      Ｘ＝１．３０４×１０−６倍
１つの電子のラブでできる磁気の光子が軌道１ｍにおいて、１．６３×１０−３１Ｊになるためには、電子のラブの質量エネルギー×自転軌道の１．３０４×１０−６倍のエネルギーが磁気の光子のエネルギーと成ったらよい。
２１．  中性子１つでできる磁気の光子のエネルギーはいくらか。中性子の電子のラブが１自転してできる磁気の光子のエネルギーはいくらか。
本発明者は、２００５年５月２７日に提出した特許願い「中性子と素粒子」の２番で、中性子は、陽子のラブの軌道が、６．７×１０−２２ｍで、電子のラブの軌道は４．９１３×１０−１９ｍであると記しました。
中性子の核磁気モーメントはマイナスなので、これは電子のラブが作った磁気の光子の回転です。
電子のラブの軌道は４．９１３×１０−１９ｍで、質量エネルギーは８×１０−１４Ｊですから、中性子の電子のラブが作る磁気の光子のエネルギーは、
ラブの質量エネルギー×自転の軌道×８×１０−７＝８×１０−１４Ｊ×４．９１３×１０−１９ｍ×８×１０−７＝３．１４×１０−３８Ｊです。
中性子の電子のラブは、４．９１３×１０−１９ｍの軌道を１自転して、３．１４×１０−３８Ｊの磁気の光子１個を作ります。
２２．  中性子の電子のラブの秒速はいくらか。図４
中性子の電子のラブは陽子のラブの自転の周囲を自転しています。
中性子の電子のラブは、陽子のラブが１自転すると、１自転します。
中性子の電子のラブは、陽子のラブが１公転すると、１公転します。
中性子の陽子のラブは、１秒間に１０２４回自転し、１０１６回公転します。
中性子の電子のラブは、１秒間に１０２４回自転し、１０１６回公転します。
それで、中性子の陽子のラブと電子のラブは、まるで、車の軸と車輪のように一緒になって自転し、公転します。
陽子はのラブは軸のようで、軌道は６．７×１０−２２ｍで、電子のラブは車輪のようで、軌道は４．９１３×１０−１９ｍです。
それで、中性子の電子の自転の秒速は、
４．９１３×１０−１９ｍ×３．１４×１０２４＝１．５４２×１０６ｍです。
２３．  中性子の電子のラブが１秒間に作る磁気の光子のエネルギーはいくらか。
中性子の電子のラブは１秒間に１０２４回自転しますから、１秒間に作る磁気の光子のエネルギーは、
３．１４×１０−３８Ｊ×１０２４個＝３．１４×１０−１４Ｊです。
２４．  中性子の電子のラブが作る磁気の光子１個の運動量はいくらか。
磁気の光子の軌道が４．９１３×１０−１９ｍでは、磁気の光子１個のエネルギーは３．１４×１０−３８Ｊですから、
磁気の光子１個の運動量は、
磁気の光子１個のエネルギー×自転軌道＝３．１４×１０−３８Ｊ×４．９１３×１０−１９ｍ＝１．５４２７×１０−５６Ｊ・ｍです。
中性子の電子のラブが自転して作る磁気の光子１個の軌道エネルギーの式は、
１．５４×１０−５６Ｊ・ｍ÷軌道又はエネルギー  です。
２５．  中性子の電子のラブが１秒間自転して作る磁気の光子の運動量はいくらか。
磁気の光子１個の運動量は１．５４×１０−５６Ｊ・ｍで、１秒間に１０２４回自転しますから、１秒間自転して作る磁気の光子の運動量は、
１．５４×１０−５６Ｊ・ｍ×１０２４回＝１．５４×１０−３２Ｊ・ｍです。
中性子の電子のラブが自転して作る磁気の光子の１秒間の軌道エネルギーの式は、
１．５４×１０−３２Ｊ・ｍ÷軌道又はエネルギー  です。
２６．  中性子の電子のラブが１秒間に作る、１ｍの軌道に於ける磁気の光子のエネルギーはいくらか。
中性子の電子のラブが自転して作る磁気の光子の１秒間の軌道エネルギーの式は、
１．５４×１０−３２Ｊ・ｍ÷軌道又はエネルギー  ですから、１ｍの軌道の１秒間の磁気の光子のエネルギーは、
１．５４×１０−３２Ｊ・ｍ÷１ｍ＝１．５４×１０−３２Ｊです。
中性子の電子のラブが１秒間に作る、１ｍの軌道に於ける磁気の光子のエネルギーは１．５４×１０−３２Ｊです。
これは中性子１個が作る万有引力です。但し、核磁気モーメントのある場合です。
中性子１個が作る万有引力は１．５４×１０−３２Ｊです。
２７．  中性子の核磁子はいくらか。
軌道１ｍにおける、１秒間の磁気の光子のエネルギーは１．５４×１０−３２Ｊですから、磁気の光子の束である１０８倍のエネルギーは、
１．５４×１０−３２Ｊ×１０８＝１．５４×１０−２４Ｊです。
中性子の核磁子は１．５４×１０−２４Ｊ／Ｔです。
２８．  中性子の電子のラブが１公転してできる電気の光子１個のエネルギーと、電気の光子１個の運動量と、１秒間にできる電気の光子のエネルギーと、１秒間にできる電気の光子の運動量と軌道１ｍにおける電気の光子１個のエネルギーと、１秒間にできる軌道１ｍにおける電気の光子のエネルギーはいくらか。
中性子の電子のラブが１公転してできる電気の光子１個のエネルギーは、中性子の電子のラブが１自転してできる磁気の光子１個のエネルギーの１０８倍です。
中性子の電子のラブが１自転してできる磁気の光子１個のエネルギーは３．１４×１０−３８Ｊですから、
中性子の電子のラブが１公転してできる電気の光子１個のエネルギーは、
３．１４×１０−３８Ｊ×１０８＝３．１４×１０−３０Ｊです。
電気の光子１個の運動量は、
電気の光子１個のエネルギー×公転軌道＝３．１４×１０−３０Ｊ×４．９１３×１０−１１ｍ＝１．５４３×１０−４０Ｊ・ｍです。
中性子の電子のラブが作る電気の光子１個の軌道エネルギーの式は、
１．５４３×１０−４０Ｊ・ｍ÷軌道又はエネルギー  です。
１秒間にできる電気の光子のエネルギーは、電気の光子１個のエネルギー×１秒間にできる電気の光子の数＝３．１４×１０−３０Ｊ×１０１６個＝３．１４×１０−１４Ｊです。
１秒間にできる電気の光子の運動量は、
電気の光子１個のエネルギー×公転軌道×１秒間にできる電気の光子の数＝３．１４×１０−３０Ｊ×４．９１３×１０−１１ｍ×１０１６個＝１．５４３×１０−２４Ｊ・ｍです。
中性子の電子のラブが作る電気の光子の１秒間の軌道エネルギーの式は、
１．５４３×１０−２４Ｊ・ｍ÷軌道又はエネルギー  です。
軌道１ｍにおける電気の光子１個のエネルギーは、
１．５４３×１０−４０Ｊ・ｍ÷１ｍ＝１．５４３×１０−４０Ｊです。
１秒間にできる軌道１ｍにおける電気の光子のエネルギーは、
１．５４３×１０−２４Ｊ・ｍ÷１ｍ＝１．５４３×１０−２４Ｊです。
中性子について表にします。
2006067779.tif 000010
2006067779.tif 000011
中性子の陽子と原子の陽子は同じ軌道エネルギーです。
２９．  陽子の核磁気モーメントを０．７とすると、中性子の核磁気モーメントはいくらか。
図５
陽子のラブが１自転してできる磁気の光子１個のエネルギーは、８×１０−３８Ｊです。
陽子の核磁気モーメントを＋０．７とします。
８×１０−３８Ｊで＋０．７です。
それでは、３．１４×１０−３８Ｊではどれ位でしょうか。
８×１０−３８Ｊ：３．１４×１０−３８Ｊ＝０．７：ｘ
ｘ＝３．１４×１０−３８Ｊ×０．７÷（８×１０−３８Ｊ）＝０．２７４７５
陽子の核磁気モーメントを＋０．７としますと、
中性子の電子のラブが作る核磁気モーメントは−０．２７４７５です。
１３Ｃの核磁気モーメントは０．７０２４１であり、１５Ｎの核磁気モーメントは−０．２８３１９です。
それで、、陽子のラブが６．７×１０−２２ｍの軌道を自転してできる、磁気の光子の軌道は６．７×１０−２２ｍで、エネルギーは８×１０−３８Ｊです。この磁気の光子が０．７の核磁気モーメントとなる。この磁気の光子は１ｍの軌道では、１秒間では５．３６×１０−３５Ｊです。
中性子の電子のラブが４．９１３×１０−１９ｍの軌道を自転してできる、磁気の光子の軌道は４．９１３×１０−１９ｍで、エネルギーは３．１４×１０−３８Ｊです。この磁気の光子が−０．２７４７５の核磁気モーメントとなる。この磁気の光子は１ｍの軌道では、１秒間では１．５４×１０−３２Ｊです。
３０．  核磁気モーメントと、陽子のラブの自転が作る、磁気の光子の軌道とエネルギーの関係はどのようである  核磁気モーメントと、中性子の電子のラブの自転が作る、磁気の光子の軌道とエネルギーの関係はどのようであるか。
陽子のラブの自転が作る、磁気の光子の軌道は６．７×１０−２２ｍで、エネルギーは８×１０−３８Ｊで、核磁気モーメントは＋０．７とみなす。
中性子の電子のラブの自転が作る、磁気の光子の軌道は４．９１３×１０−１９ｍで、エネルギーは３．１４×１０−３８Ｊで、核磁気モーメントは−０．２７４７５とみなす。
陽子のラブが作る、磁気の光子の軌道エネルギーの式は、６．７×１０−２２ｍ×８×１０−３８Ｊ＝５．３６×１０−５９Ｊ・ｍ÷軌道又はエネルギーです。
中性子の電子のラブが作る、磁気の光子の軌道エネルギーの式は、４．９１３×１０−１９ｍ×３．１４×１０−３８Ｊ＝１．５４３×１０−５６Ｊ・ｍです。
陽子のラブが作る磁気の光子のエネルギーが８×１０−３８Ｊで、核磁気モーメントは＋０．７ですから、１モーメントは、
８×１０−３８Ｊ÷０．７＝１．１４２８×１０−３７Ｊです。
それで、−０．２７４７５モーメントである、中性子の磁気の光子のエネルギーは、
１．１４２８×１０−３７Ｊ×０．２７４７５＝３．１４×１０−３８Ｊです。
この軌道は、
１．５４３×１０−５６Ｊ・ｍ÷（３．１４×１０−３８Ｊ）＝４．９１４×１０−１９ｍです。
即ち、磁気の光子１モーメントは、１．１４２８×１０−３７Ｊです。
それで、Ａモーメントの場合、磁気の光子のエネルギーは、
磁気の光子のエネルギー＝Ａ×１．１４２８×１０−３７Ｊです。
Ａモーメントがプラスの場合、
陽子のラブによってできた磁気の光子のエネルギーですから、その磁気の光子の軌道＝陽子のラブの自転軌道は、
軌道＝５．３６×１０−５９Ｊ・ｍ÷エネルギー＝５．３６×１０−５９Ｊ・ｍ÷（Ａ×１．１４２８×１０−３７Ｊ）＝４．６９×１０−２２ｍ÷Ａです。
Ａモーメントがマイナスの場合、
中性子の電子のラブによってできた磁気の光子のエネルギーですから、その磁気の光子の軌道＝中性子の電子のラブの自転軌道は、
軌道＝１．５４３×１０−５６Ｊ・ｍ÷エネルギー＝１．５４３×１０−５６Ｊ・ｍ÷（Ａ×１．１４２８×１０−３７Ｊ）＝１．３５×１０−１９ｍ÷Ａです。
例えば、５７Ｆｅの核磁気モーメントは０．０９０６ですから、
磁気の光子のエネルギーは、
Ａ×１．１４２８×１０−３７Ｊ＝０．０９０６×１．１４２８×１０−３７Ｊ＝１．０３５×１０−３８Ｊです。
この磁気の光子の軌道は、
４．６９×１０−２２ｍ÷Ａ＝４．６９×１０−２２ｍ÷０．０９０６＝５．１７６×１０−２１ｍです。
即ち、５７Ｆｅの核磁気モーメントを作っている磁気の光子は、
陽子のラブが５．１７６×１０−２１ｍの軌道を１自転しできる、１．０３５×１０−３８Ｊの磁気の光子です。
例えば、７３Ｇｅの核スピンは９／２で、核磁気モーメントは−０．８７９４６７ですから、１／２核スピンでは、−０．８７９４６７÷９＝−０．０９７７１８５です。
磁気の光子のエネルギーは、
Ａ×１．１４２８×１０−３７Ｊ＝０．０９７７１８５×１．１４２８×１０−３７Ｊ＝１．１１７×１０−３８Ｊです。
この磁気の光子の軌道は、
１．３５×１０−１９ｍ÷Ａ＝１．３５×１０−１９ｍ÷０．０９７７＝１．３８×１０−１８ｍです。
即ち、７３Ｇｅの核磁気モーメントを作っている磁気の光子は、
中性子の電子のラブが１．３８×１０−１８ｍの軌道を自転しできる、１．１１７×１０−３８Ｊの磁気の光子です。
【発明の効果】
【０００６】１．子のラブは質量エネルギーが大きいので、少しの軌道を自転するだけで、電子と同じエネルギーの磁気の光子ができる。それは、質量エネルギー×軌道×８×１０−７倍が磁気の光子のエネルギーに成るからであると理解できた。
２．陽子のラブが１自転してできる磁気の光子のエネルギーと、電子のラブが１自転してできる磁気の光子のエネルギーは等しいことが理解できた。
３．陽子のラブが１公転してできる電気の光子のエネルギーと、電子のラブが１公転してできる電気の光子のエネルギーは等しいことが理解できた。
４．ボーア磁子と核磁子によって算出されるデーターと、本発明者のデーターが近似値であることが理解できた。
５．もし、電子のラブが１自転して、１．３０４×１０−３７Ｊの磁気の光子を作るのであれば、この磁気の光子が、１原子によってできる万有引力と成る事が理解できた。
６．陽子のラブが６．７×１０−２２の軌道を自転することによってできた８×１０−３８Ｊの磁気の光子が、０．７の核磁気モーメントを作るとすると、１モーメントは１．１４２８×１０−３７Ｊの磁気の光子でできる。
この事によって、核磁気モーメントがＡである磁気の光子のエネルギーは、Ａ×１．１４２８×１０−３７Ｊである事が理解できた。
そして、この磁気の光子ができる陽子のラブの自転軌道は、４．６９×１０−２２ｍ÷Ａであり、中性子の電子のラブの自転軌道は１．３５×１０−１９ｍ÷Ａである事が理解できた。
【図面の簡単な説明】
【０００７】
【図１】電子のラブが１自転してできる磁気の光子１個のエネルギーと、陽子のラブが１自転してできる磁気の光子１個のエネルギーは等しい。電子のラブが１公転してできる電気の光子１個のエネルギーと、陽子のラブが１公転してできる電気の光子１個のエネルギーは等しい。即ち、電子のラブが１．２５×１０−１８ｍの軌道を１回自転してできる磁気の光子１個のエネルギーは８×１０−３８Ｊであり、陽子のラブが６．７×１０−２２ｍの軌道を１回自転してできる磁気の光子１個のエネルギーは８×１０−３８Ｊである。電子のラブが１．２５×１０−１０ｍの軌道を１回公転してできる電気の光子１個のエネルギーは８×１０−３０Ｊであり、陽子のラブが６．７×１０−１４ｍの軌道を１回公転してできる電気の光子１個のエネルギーは８×１０−３０Ｊである。
【図２】ボーア磁子は９．２７４×１０−２４Ｊ／Ｔです。この事は、１つの電子のラブが１秒間に作る磁気の光子の束である１０８倍のエネルギーは、軌道１ｍにおいて、９．２７４×１０−２４Ｊである事を意味する。核磁子は５．０５０８×１０−２７Ｊ／Ｔです。この事は、１つの陽子のラブが１秒間に作る磁気の光子の束である１０８倍のエネルギーは、軌道１ｍにおいて、５．０５０８×１０−２７Ｊである事を意味する。
【図３】電子のラブも陽子のラブも、自分の質量エネルギー×自転軌道の８×１０−７倍のエネルギーを磁気の光子のエネルギーにし、放出しています。電子のラブも陽子のラブも、自分の質量エネルギー×公転軌道の８×１０−７倍のエネルギーを電気の光子のエネルギーにし、放出しています。
【図４】中性子の陽子のラブと電子のラブは、まるで車の軸と車輪のように一緒になって自転し、公転します。陽子はのラブは軸のようで、軌道は６．７×１０−２２ｍで、電子のラブは車輪のようで、軌道は４．９１３×１０−１９ｍです。
【図５】陽子のラブが６．７×１０−２２ｍの軌道を自転してできる、磁気の光子の軌道は６．７×１０−２２ｍで、エネルギーは８×１０−３８Ｊです。この磁気の光子が０．７の核磁気モーメントである。１ｍの軌道では５．３６×１０−３５Ｊです。中性子の電子のラブが４．９１３×１０−１９ｍの軌道を自転してできる、磁気の光子の軌道は４．９１３×１０−１９ｍで、エネルギーは３．１４×１０−３８Ｊです。この磁気の光子が−０．２７４７５の核磁気モーメントである。１ｍの軌道では１．５４×１０−３２Ｊです。
【符号の説明】
【０００８】  １  電子のラブ
２  陽子のラブ
３  電子のラブの自転軌道
４  電子のラブの公転軌道
５  陽子のラブの自転軌道
６  陽子のラブの公転軌道
７  中性子の陽子のラブの自転軌道
８  中性子の電子のラブの自転軌道
９  １ｍの軌道
１０  質量エネルギー×自転軌道×８×１０−７Ｊ＝８×１０−３８Ｊ
１１  質量エネルギー×公転軌道×８×１０−７Ｊ＝８×１０−３０Ｊ
【図１】
2006067779.tif 000020
【図２】
2006067779.tif 000021
【図３】
2006067779.tif 000022
【図４】
2006067779.tif 000023
【図５】
2006067779.tif 000024